(57)【要約】【課題】  動画撮影中に手振れが発生する確率を小さくすること。【解決手段】  デジタルスチルカメラは、動画撮影スイッチと、第１の操作で第１位置となり、第１位置で第１の信号を出力し、第１位置から第２の操作で第２位置となり、第２位置で第２の信号を出力する静止画撮影スイッチと、を備え、動画撮影スイッチが指示されると（Ｓ０１でＹＥＳ）、動画および音声を記録し（Ｓ０２）、動画および音声を記録していない間に静止画撮影スイッチが第１の信号を出力すると（Ｓ１０でＹＥＳ）、撮影条件の調整をし（Ｓ１１）、動画および音声を記録していない間に静止画撮影スイッチが第２の信号を出力すると（Ｓ１２でＹＥＳ）、静止画を記録し（Ｓ１３）、動画および音声が記録されている間に静止画撮影スイッチが第１の信号を出力すると（Ｓ０４でＹＥＳ）、静止画を記録する（Ｓ０６）。【選択図】        図６
2012010004.tif 000002
【特許請求の範囲】
【請求項１】
動画撮影スイッチと、
前記動画撮影スイッチが指示されることに応じて、被写体を撮影し、動画を記録する動画撮影手段と、
前記動画撮影スイッチとは別に設けられ、
前記動画撮影手段が動画を記録している間は継続して撮影条件を調整し、前記動画撮影手段が動画を記録していない間は前記静止画撮影スイッチが前記第１の信号を出力することに応じて、撮影条件の調整を開始する撮影条件調整手段と、
前記動画撮影手段が動画を記録していない間に前記静止画撮影スイッチが前記第２の信号を出力することに応じて、被写体を撮影して静止画を記録する静止画撮影手段と、を備え、
前記静止画撮影手段は、動画が記録されている間に前記静止画撮影スイッチが前記第１の信号を出力することに応じて、被写体を撮影して静止画を記録する、撮影装置。
【請求項２】
前記静止画撮影スイッチは、原点位置から前記第２位置までの移動距離が、原点位置から前記第１位置までのストローク距離より長い、請求項１に記載の撮像装置。
【請求項３】
前記静止画撮影スイッチは、第１の圧力で押下されると前記第１位置となり、前記第１の圧力より大きな第２の圧力で押下されると第２位置となり、
前記動画撮影手段は、動画を記録している間、音声を記録する、請求項１または２に記載の撮影装置。
【請求項４】
前記動画撮影手段は、前記静止画撮影手段が静止画を記録する間、動画の記録を一時停止し、前記静止画撮影手段が静止画を記録した後、動画の記録を再開する、請求項１〜３のいずれかに記載の撮影装置。
【請求項５】
動画撮影スイッチと、
前記動画撮影スイッチとは別に設けられ、第１の操作で第１位置となり、前記第１位置で第１の信号を出力し、前記第１位置から第２の操作で第２位置となり、前記第２位置で第２の信号を出力する静止画撮影スイッチと、を備えた撮影装置で実行される撮影方法であって、
前記動画撮影スイッチが指示されることに応じて、被写体を撮影し、動画を記録するステップと、
前記動画を記録するステップにおいて動画が記録されている間は継続して撮影条件を調整するステップと、
前記動画を記録するステップにおいて動画が記録されていないときに前記静止画撮影スイッチが前記第１の信号を出力することに応じて、撮影条件の調整を開始するステップと、
前記動画を記録するステップにおいて動画が記録されていないときに前記静止画撮影スイッチが前記第２の信号を出力することに応じて、被写体を撮影し、静止画を記録するステップと、
前記動画を記録するステップにおいて動画が記録されているときに前記静止画撮影スイッチが前記第１の信号を出力することに応じて、被写体を撮影し、静止画を記録するステップと、を含む撮影方法。
【請求項６】
動画撮影スイッチと、
前記動画撮影スイッチとは別に設けられ、第１の操作で第１位置となり、前記第１位置で第１の信号を出力し、前記第１位置から第２の操作で第２位置となり、前記第２位置で第２の信号を出力する静止画撮影スイッチと、を備えた撮影装置を制御するコンピュータで実行される撮影プログラムであって、
前記動画撮影スイッチが指示されることに応じて、被写体を撮影し、動画を記録するステップと、
前記動画を記録するステップにおいて動画が記録されている間は継続して撮影条件を調整するステップと、
前記動画を記録するステップにおいて動画が記録されていないときに前記静止画撮影スイッチが前記第１の信号を出力することに応じて、撮影条件の調整を開始するステップと、
前記動画を記録するステップにおいて動画が記録されていないときに前記静止画撮影スイッチが前記第２の信号を出力することに応じて、被写体を撮影し、静止画を記録するステップと、
前記動画を記録するステップにおいて動画が記録されているときに前記静止画撮影スイッチが前記第１の信号を出力することに応じて、被写体を撮影し、静止画を記録するステップと、を前記コンピュータに実行させる撮影プログラム。
【発明の詳細な説明】
【技術分野】
【０００１】
この発明は、撮影装置、撮影方法および撮影プログラムに関し、特に動画の撮影中に静止画を撮影することが可能な撮影装置、撮影方法および撮影プログラムに関する。
【背景技術】
【０００２】
動画の撮影中に静止画を撮影することが可能な撮影装置が特開２００５−５７３６１号公報に記載されている。従来の撮影装置は、動画像撮影中に、レリーズボタンが半押しされると、静止画像の撮影動作が行われることを視覚を通じて被写体に知らせる第１通知手段を具えており、レリーズボタンが全押しされると撮影動作を行う。
【０００３】
しかしながら、動画像撮影中におけるレリーズボタンを全押しする操作は、半押しする操作をした後に、さらに押下する操作であるため、ユーザはストローク距離の長い操作をしなければならず、手振れが発生しやすくなるといった問題があった。
【特許文献１】特開２００５−５７３６１号公報
【発明の概要】
【発明が解決しようとする課題】
【０００４】
この発明は、上述した問題点を解決するためになされたもので、この発明の目的の１つは、動画撮影中に手振れが発生する確率を小さくした撮影装置を提供することである。
【０００５】
この発明の他の目的は、動画撮影中に手振れが発生する確率を小さくすることが可能な撮影方法を提供することである。
【０００６】
この発明のさらに他の目的は、動画撮影中に手振れが発生する確率を小さくすることが可能な撮影プログラムを提供することである。
【課題を解決するための手段】
【０００７】
上述した目的を達成するためにこの発明のある局面によれば、撮影装置は、動画撮影スイッチと、動画撮影スイッチが指示されることに応じて、被写体を撮影し、動画を記録する動画撮影手段と、動画撮影スイッチとは別に設けられ、第１の操作で第１位置となり、第１位置で第１の信号を出力し、第１位置から第２の操作で第２位置となり、第２位置で第２の信号を出力する静止画撮影スイッチと、動画撮影手段が動画を記録している間は継続して撮影条件を調整し、動画撮影手段が動画を記録していない間は静止画撮影スイッチが第１の信号を出力することに応じて、撮影条件の調整を開始する撮影条件調整手段と、動画撮影手段が動画を記録していない間に静止画撮影スイッチが第２の信号を出力することに応じて、被写体を撮影して静止画を記録する静止画撮影手段と、を備え、静止画撮影手段は、動画が記録されている間に静止画撮影スイッチが第１の信号を出力することに応じて、被写体を撮影して静止画を記録する。
【０００８】
この局面に従えば、動画が記録されている間に静止画撮影スイッチが第１の信号を出力することに応じて、被写体を撮影して静止画が記録される。静止画撮影スイッチは、第１の操作で第１位置となり、第１の信号を出力し、第１位置から第２の操作で第２位置となり、第２の信号を出力するので、静止画撮影スイッチに第１の信号を出力させる場合の方が、静止画撮影スイッチに第２の信号を出力させる場合よりもユーザによる操作は簡素である。このため、動画撮影中における静止画撮影のための操作を簡素化することができる。その結果、動画撮影中に手振れが発生する確率を小さくした撮影装置を提供することができる。
【０００９】
好ましくは、静止画撮影スイッチは、原点位置から第２位置までの移動距離が、原点位置から第１位置までのストローク距離より長い。
【００１０】
この局面に従えば、静止画撮影スイッチは、原点位置から第２位置までの移動距離が、原点位置から第１位置までのストローク距離より長いので、静止画撮影スイッチに第１の信号を出力させる場合の方が、静止画撮影スイッチに第２の信号を出力させる場合よりもユーザの動きが小さい。このため、動画撮影中における静止画撮影のための操作のためのユーザの動きを小さくことができる。
【００１１】
好ましくは、静止画撮影スイッチは、第１の圧力で押下されると第１位置となり、第１の圧力より大きな第２の圧力で押下されると第２位置となり、動画撮影手段は、動画を記録している間、音声を記録する。
【００１２】
この局面に従えば、静止画撮影スイッチは、第１の圧力で押下されると第１位置となり、第１の圧力より大きな第２の圧力で押下されると第２位置となるので、静止画撮影スイッチが第１位置で発生する音が第２位置で発生する音よりも小さい。その結果、動画および音声の記録中に静止画を記録するための操作により発生する音を小さくすることができる。
【００１３】
好ましくは、動画撮影手段は、静止画撮影手段が静止画を記録する間、動画の記録を一時停止し、静止画撮影手段が静止画を記録した後、動画の記録を再開する。
【００１４】
この発明の他の局面によれば、撮影方法は、動画撮影スイッチと、動画撮影スイッチとは別に設けられ、第１の操作で第１位置となり、第１位置で第１の信号を出力し、第１位置から第２の操作で第２位置となり、第２位置で第２の信号を出力する静止画撮影スイッチと、を備えた撮影装置で実行される撮影方法であって、動画撮影スイッチが指示されることに応じて、被写体を撮影し、動画を記録するステップと、動画を記録するステップにおいて動画が記録されている間は継続して撮影条件を調整するステップと、動画を記録するステップにおいて動画が記録されていないときに静止画撮影スイッチが第１の信号を出力することに応じて、撮影条件の調整を開始するステップと、動画を記録するステップにおいて動画が記録されていないときに静止画撮影スイッチが第２の信号を出力することに応じて、被写体を撮影し、静止画を記録するステップと、動画を記録するステップにおいて動画が記録されているときに静止画撮影スイッチが第１の信号を出力することに応じて、被写体を撮影し、静止画を記録するステップと、を含む。
【００１５】
この局面に従えば、動画撮影中に手振れが発生する確率を小さくすることが可能な撮影方法を提供することができる。
【００１６】
この発明のさらに他の局面によれば、撮影プログラムは、動画撮影スイッチと、動画撮影スイッチとは別に設けられ、第１の操作で第１位置となり、第１位置で第１の信号を出力し、第１位置から第２の操作で第２位置となり、第２位置で第２の信号を出力する静止画撮影スイッチと、を備えた撮影装置を制御するコンピュータで実行される撮影プログラムであって、動画撮影スイッチが指示されることに応じて、被写体を撮影し、動画を記録するステップと、動画を記録するステップにおいて動画が記録されている間は継続して撮影条件を調整するステップと、動画を記録するステップにおいて動画が記録されていないときに静止画撮影スイッチが第１の信号を出力することに応じて、撮影条件の調整を開始するステップと、動画を記録するステップにおいて動画が記録されていないときに静止画撮影スイッチが第２の信号を出力することに応じて、被写体を撮影し、静止画を記録するステップと、動画を記録するステップにおいて動画が記録されているときに静止画撮影スイッチが第１の信号を出力することに応じて、被写体を撮影し、静止画を記録するステップと、をコンピュータに実行させる。
【００１７】
この局面に従えば、動画撮影中に手振れが発生する確率を小さくすることが可能な撮影プログラムを提供することができる。
【図面の簡単な説明】
【００１８】
【図１】本実施の形態の１つにおけるデジタルビデオカメラの正面図である。
【図２】本実施の形態の１つにおけるデジタルビデオカメラの側面図である。
【図３】本実施の形態の１つにおけるデジタルビデオカメラの背面図である。
【図４】本実施の形態の１つにおけるデジタルビデオカメラのハードウェア構成の概略の一例を示すブロック図である。
【図５】ＣＰＵが有する機能の概要の一例を示す機能ブロック図である。
【図６】撮影処理の流れの一例を示すフローチャートである。
【発明を実施するための形態】
【００１９】
以下、本発明の実施の形態について図面を参照して説明する。以下の説明では同一の部品には同一の符号を付してある。それらの名称および機能も同じである。したがってそれらについての詳細な説明は繰返さない。
【００２０】
図１は、本実施の形態の１つにおけるデジタルビデオカメラの正面図である。図２は、本実施の形態の１つにおけるデジタルビデオカメラの側面図である。図３は、本実施の形態におけるデジタルビデオカメラの背面図である。図１〜図３を参照して、デジタルビデオカメラ１０は、筐体９の正面に、マイクロホン１１と、ストロボ１３と、レンズ１５と、が配置される。レンズ１５の下方にストロボ１３が配置され、その両端に２つのマイクロホン１１が配置される。なお、マイクロホン１１が配置される位置は、図１に示す位置には限定されないが、レンズ１５が配置される面と同じ面に配置されるのが好ましい。
【００２１】
デジタルビデオカメラ１０は、筐体９の側面に、ＬＣＤ（Ｌｉｑｕｉｄ  Ｃｒｙｓｔａｌ  Ｄｉｓｐｌａｙ）１１７を含む。ＬＣＤ１１７は、筐体９にヒンジ機構で連結され、開閉自在である。図２では、ＬＣＤ１１７が閉状態にあるときのデジタルビデオカメラ１０の側面を示している。さらに、筐体９の上面に、電源スイッチ１９と、ズームレバー２５とが配置される。電源スイッチ１９は、電源のＯＮとＯＦＦとを切り換えるためのスイッチである。ズームレバー２５は、レンズ１５の画角を調整するためのレバーである。
【００２２】
デジタルビデオカメラ１０は、筐体９の背面に、静止画撮影スイッチ２１と、動画撮影スイッチ２３と、再生スイッチ２７と、メニュースイッチ２９と、十字パドルキー３１とを含む。再生スイッチ２７は、撮影した動画像を再生する指示を受け付けるためのスイッチである。メニュースイッチ２９は、メニュー画面を表示させる指示を受け付けるためのスイッチである。十字パドルキー３１は、メニューの選択等、カーソルを上下左右に移動させる操作を受け付けるためのスイッチである。静止画撮影スイッチ２１および動画撮影スイッチ２３については後述する。
【００２３】
図４は、本実施の形態におけるデジタルビデオカメラのハードウェア構成の概略の一例を示すブロック図である。図４を参照して、デジタルビデオカメラ１０は、デジタルビデオカメラ１０の全体を制御する中央演算装置（ＣＰＵ）１０１と、ＣＰＵ１０１が実行するためのプログラム等を記憶するＲＯＭ（Ｒｅａｄ  Ｏｎｌｙ  Ｍｅｍｏｒｙ）１０３と、レンズ１５と、イメージセンサ１０５と、マイクロホン１１と、アナログ／デジタル変換部（Ａ／Ｄ）１０７，１０９と、メモリ制御部１１１と、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１１３と、液晶表示装置（ＬＣＤ）１１７と、ＬＣＤ１１７を制御するＬＣＤドライバ１１５と、ＪＰＥＧ（Ｊｏｉｎｔ  Ｐｈｏｔｏｇｒａｐｈｉｃ  Ｅｘｐｅｒｔｓ  Ｇｒｏｕｐ）−ＣＯＤＥＣ１１９と、ＭＰＥＧ（Ｍｏｖｉｎｇ  Ｐｉｃｔｕｒｅ  Ｅｘｐｅｒｔｓ  Ｇｒｏｕｐ）−ＣＯＤＥＣ１２１と、大容量記録装置としてのハードディスクドライブ（ＨＤＤ）１２３と、外部記録装置１２７と、操作部１３１と、を含む。
【００２４】
レンズ１５、ＣＰＵ１０１、ＲＯＭ１０３、イメージセンサ１０５、メモリ制御部１１１、ＪＰＥＧ‐ＣＯＤＥＣ１１９、ＭＰＥＧ‐ＣＯＤＥＣ１２１、ＨＤＤ１２３、外部記録装置１２７それぞれは、バス１２５に接続されている。
【００２５】
イメージセンサ１０５は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の光電変換素子であり、その結像面がレンズの光軸に対して垂直となる。イメージセンサ１０５は、レンズ１５を介して結像面に結像する被写体の光学画像を光電変換し、光電変換した画像をＡ／Ｄ１０７に出力する。なお、イメージセンサ１０５は、ＣＭＯＳイメージセンサに限定されるものではなく、ＣＣＤ（Ｃｈａｒｇｅ  Ｃｏｕｐｌｅｄ  Ｄｅｖｉｃｅ）イメージセンサを用いてもよい。Ａ／Ｄ１０７は、入力されるアナログ信号の画像のデータをデジタル信号に変換し、メモリ制御部１１１に出力する。
【００２６】
また、マイクロホン１１は、音を集音し、アナログ信号の音データを、Ａ／Ｄ１０９に出力する。Ａ／Ｄ１０９は、マイクロホン１１から入力されるアナログ信号の音データをデジタル信号に変換し、メモリ制御部１１１に出力する。
【００２７】
メモリ制御部１１１は、Ａ／Ｄ１０７から入力される画像をＳＤＲＡＭ１１３の表示画像エリアに格納し、Ａ／Ｄ１０９から入力される音をＳＤＲＡＭ１１３の音エリアに格納する。ＬＣＤドライバ１１５は、ＳＤＲＡＭ１１３の表示画像エリアに格納された画像のデジタル信号のデータを、Ｒ（赤）Ｇ（緑）Ｂ（青）のアナログ信号のデータに変換し、ＬＣＤ１１７に出力する。これにより、ＬＣＤ１１７に画像が表示される。
【００２８】
操作部１３１は、電源スイッチ１９と、静止画撮影スイッチ２１と、動画撮影スイッチ２３と、ズームレバー２５と、再生スイッチ２７と、メニュースイッチ２９と、十字パドルキー３１とを含む。
【００２９】
静止画撮影スイッチ２１は、２段階で動作するスイッチであり、ユーザによる第１の操作で第１位置となり、第１位置で第１の信号を出力し、ユーザによる第２の操作で第１位置から第２位置となり、第２位置で第２の信号を出力する。静止画撮像スイッチ２１がユーザにより押下されていない原点位置から第２位置までの移動距離（ストローク）は、原点位置から第１位置までの移動距離（ストローク距離）より長い。第１の操作は、ユーザが静止画撮影スイッチ２１を原点位置から第１位置まで押下する操作であり、第２の操作は、ユーザが第１位置にある静止画撮影スイッチ２１を第２位置まで押下する操作である。静止画撮影スイッチ２１を原点位置から第２位置まで押下するためには、ユーザは、第１の操作と、第２の操作とをしなければならない。このため、ユーザが、静止画撮影スイッチ２１を原点位置から第２位置まで押下する場合、原点位置から第１位置まで押下する場合よりも操作の回数が多い。また、ユーザが、静止画撮影スイッチ２１を原点位置から第２位置まで押下する場合、原点位置から第１位置まで押下する場合よりもストローク距離が長い。
【００３０】
また、静止画撮影スイッチ２１は、第１の圧力で押下されると第１位置となり、第１の圧力より大きな第２の圧力で押下されると第２位置となる。静止画撮影スイッチ２１を第１位置から第２位置まで押下する圧力が、静止画撮影スイッチ２１を第１位置まで押下する圧力より大きいのは、ユーザが静止画撮影スイッチ２１が第１位置であることを指で感じることができるようにするためである。
【００３１】
静止画撮影スイッチ２１を第１位置から第２位置まで押下する場合、第１位置まで押下する場合よりも大きな力が静止画撮影スイッチ２１に加わるため、静止画撮影スイッチ２１が第１位置から第２位置の状態になる際に発生するクリック音は、静止画撮影スイッチ２１が押されていない状態から第１位置の状態になる際に発生するクリック音より音が大きくなる。ユーザが静止画撮影スイッチ２１を押下して、第１位置または第２位置の状態にする操作に伴って発生するクリック音は、デジタルビデオカメラ１０の筐体９を伝わって、マイクロホン１１に到達する。
【００３２】
なお、ここでは、静止画撮像スイッチ２１を押しボタン式のスイッチとしたが、スライド式のスライドスイッチとしてもよい。静止画撮像スイッチ２１をスライドスイッチとする場合においても、スライドスイッチがユーザによりスライドされていない原点位置から第２位置までスライドするスライド距離は、原点位置から第１位置までスライドするスライド距離より長い。第１の操作は、ユーザがスライドスイッチを原点位置から第１位置までスライドさせる操作であり、第２の操作は、ユーザが第１位置にあるスライドスイッチを第２位置までスライドさせる操作である。スライドスイッチを原点位置から第２位置にスライドさせるためには、ユーザは、第１の操作と、第２の操作とをしなければならない。このため、ユーザが、スライドスイッチを原点位置から第２位置までスライドさせる場合、原点位置から第１位置までスライドさせる場合よりも操作の回数が多い。また、ユーザが、スライドスイッチを原点位置から第２位置までスライドさせる場合、原点位置から第１位置までスライドさせる場合よりもスライド距離が長い。
【００３３】
動画撮影スイッチ２３は、動画の撮影の開始および終了の指示を受け付けるためのスイッチである。ユーザが動画撮影スイッチ２３を押下すると、押下されたことを示す信号をＣＰＵ１０１に出力する。
【００３４】
ＪＰＥＧ−ＣＯＤＥＣ１１９は、ＣＰＵ１０１により制御され、ＳＤＲＡＭ１１３に格納されたデジタル信号の画像データを圧縮符合化し、ＪＰＥＧフォーマットの符号化データに変換し、また、ＪＰＥＧフォーマットの符号化データを復号し、デジタル信号の画像データに変換する。
【００３５】
ＭＰＥＧ−ＣＯＤＥＣ１２１は、ＣＰＵ１０１により制御され、ＳＤＲＡＭ１１３に時系列に格納される複数フレームの画像のデータと、マイクロホン１１から入力される音のデータとを圧縮符号化し、ＭＰＥＧフォーマットの符号化データに変換し、また、ＭＰＥＧフォーマットの符号化データを復号し、画像のデータと音のデータとに変換する。ＪＰＥＧ−ＣＯＤＥＣ１１９が、１フレームの画像を符号化または復号するのに対して、ＭＰＥＧ−ＣＯＤＥＣ１２１は、複数フレームの画像からなる動画像と音のデータを符号化または復号する。ＭＰＥＧ−ＣＯＤＥＣ１２１は、マイクロホン１１から入力される音のデータのみを圧縮符号化し、ＭＰＥＧフォーマットの符号化データに変換することも可能である。
【００３６】
ＪＰＥＧ−ＣＯＤＥＣ１１９によりＪＰＥＧフォーマットに変換された符号化データおよびＭＰＥＧ−ＣＯＤＥＣ１２１によりＭＰＥＧフォーマットに変換された符号化データは、ＨＤＤ１２３に記録される。
【００３７】
なお、ここでは、大容量記録装置としてＨＤＤ１２３を備える例を説明したが、ＨＤＤ１２３に代えて、内蔵のフラッシュメモリであってもよいし、着脱可能なメモリカードであってもよい。
【００３８】
外部記録装置１２７には、着脱可能なＣＤ−ＲＯＭ（Ｃｏｍｐａｃｔ  Ｄｉｓｃ−Ｒｅａｄ  Ｏｎｌｙ  Ｍｅｍｏｒｙ）１２９が装着される。ＣＰＵ１０１は、外部記録装置１２７を介して、ＣＤ−ＲＯＭ１２９にアクセスすることが可能である。また、外部記録装置１２７にＤＶＤ（Ｄｉｇｉｔａｌ  Ｖｅｒｓａｔｉｌｅ  Ｄｉｓｃ）が装着される場合には、ＪＰＥＧ−ＣＯＤＥＣ１１９によりＪＰＥＧフォーマットに変換された符号化データおよびＭＰＥＧ−ＣＯＤＥＣ１２１によりＭＰＥＧフォーマットに変換された符号化データを、ＤＶＤに記録するようにしてもよい。
【００３９】
なお、ＣＰＵ１０１が実行するプログラムをＲＯＭ１０３に記憶する例を示すが、ＣＰＵ１０１がＨＤＤ１２３または外部記録装置１２７に装着されたＣＤ−ＲＯＭ１２９に記録されたプログラムをＳＤＲＡＭ１１３にロードして実行するようにしてもよい。また、ＣＰＵ１０１が実行するプログラムを記録する媒体としては、ＣＤ−ＲＯＭ１２９に限られず、着脱可能な光ディスク（ＭＯ（Ｍａｇｎｅｔｉｃ  Ｏｐｔｉｃａｌ  Ｄｉｓｃ／ＭＤ（Ｍｉｎｉ  Ｄｉｓｃ）、ＤＶＤ、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）、メモリカードなどであってもよい。
【００４０】
図５は、ＣＰＵが有する機能の概要の一例を示す機能ブロック図である。図５を参照して、ＣＰＵ１０１は、イメージセンサ１０５を制御する撮影制御部１４１と、撮影条件を調整する撮影条件調整部１４３と、を含む。
【００４１】
撮影制御部１４１は、動画撮影部１４５と、静止画撮影部１４７とを含む。動画撮影部１４５は、イメージセンサ１０５とＭＰＥＧ−ＣＯＤＥＣ１２１とを制御し、動画を記録する。具体的には、動画撮影部１４５は、動画撮影スイッチ２３が押下されたことを示す信号が入力されると、イメージセンサ１０５に動画を出力させるとともに、動画を撮影中であることを示す撮影中信号を撮影制御部１４３および静止画撮影部１４７に出力する。そして、動画撮影部１４５は、ＭＰＥＧ−ＣＯＤＥＣ１２１を制御して、イメージセンサ１０５が出力する動画およびマイクロホン１１が出力する音声を符号化させ、ＨＤＤ１２３に記録する。さらに、動画撮影部１４５は、動画撮影スイッチ２３が押下されたことを示す信号が入力されると、動画および音声の記録を終了し、撮影中信号の出力を停止する。
【００４２】
撮影条件調整部１４３は、焦点、露出、絞りおよびホワイトバランス等の撮影条件を調整する。撮影条件調整部１４３は、動画が記録されている間、換言すれば、動画撮影部１４５から撮影中信号が入力されている間、撮影条件を調整する。また、撮影条件調整部１４３は、動画が記録されていないときに、換言すれば動画撮影部１４５から撮影中信号が入力されてないときに静止画撮影スイッチ２１から第１の信号が入力されることに応じて、撮影条件の調整を開始する。なお、ここでは、撮影条件調整部１４３が、焦点、露出、絞りおよびホワイトバランスを調整する例を説明するが、撮影条件調整部１４３は、焦点、露出、絞りおよびホワイトバランスのうちから選ばれた少なくとも１つを調整するものであればよい。
【００４３】
静止画撮影部１４７は、イメージセンサ１０５とＪＰＥＧ−ＣＯＤＥＣ１１９を制御し、静止画を記録する。静止画撮影部１４７は、動画が撮影されていないとき、換言すれば動画撮影部１４５から撮影中信号が入力されてないときに静止画撮影スイッチ２１から第２の信号が入力されることに応じて、イメージセンサ１０５に静止画を出力させる。そして、静止画撮影部１４７は、ＪＰＥＧ−ＣＯＤＥＣ１１９を制御して、イメージセンサ１０５が出力する静止画を符号化させ、ＨＤＤ１２３に記録する。
【００４４】
静止画撮影部１４７は、動画が記録されている場合、換言すれば動画撮影部１４５から撮影中信号が入力されている場合、静止画撮影スイッチ２１から第１の信号が入力されることに応じて、イメージセンサ１０５に静止画を出力させる。そして、静止画撮影部１４７は、ＪＰＥＧ−ＣＯＤＥＣ１１９を制御して、イメージセンサ１０５が出力する静止画を符号化させ、ＨＤＤ１２３に記録する。イメージセンサ１０５は、静止画を出力している間は動画を出力できないので、動画撮影部１４５は、静止画撮影部１４７が静止画を撮影している間、動画を得ることができないが、前後のフレームを用いて補間した動画像を用いるなどして動画および音声の記録を継続する。なお、動画撮影部１４５は、静止画撮影部１４７が静止画を撮影している間に、イメージセンサ１０５が出力する画像信号をＭＰＥＧ−ＣＯＤＥＣ１２１およびＪＰＥＧ−ＣＯＤＥＣ１１９の両方に供給することによって、動画の記録を一時停止することなく動画および音声の記録を継続するようにしてもよい。
【００４５】
なお、動画撮影部１４５は、静止画撮影部１４７が静止画を撮影している間、マイクロホン１１から出力される音声を継続して記録する。
【００４６】
上述したように、撮影条件調整部１４３は、動画の撮影中に継続して撮影条件を調整している。このため、動画を記録している間に静止画撮影スイッチ２１から第１の信号が入力される段階では、撮影条件調整部１４３により撮影条件が調整されている。したがって、動画を記録している間に静止画撮影スイッチ２１から第１の信号が入力される時点で、撮影条件を改めて調整する必要はない。
【００４７】
静止画撮影部１４７は、動画の撮影中にユーザが静止画撮影スイッチ２１を原点位置から第１位置まで押下する第１の操作をすると、静止画を撮影する。第１の操作は、ユーザが静止画撮影スイッチ２１を原点位置から第２位置まで押下する場合よりも操作の回数が少ない。ユーザが静止画撮像スイッチ２１を押下する操作によって、デジタルビデオカメラ１０を支える手が振れる場合があるが、動画撮影中に静止画を撮影する場合における操作回数を少なくすることによって、手振れの発生する確率を少なくすることができる。また、静止画撮影スイッチ２１を原点位置から第１位置まで押下する場合のストローク量は、静止画撮影スイッチ２１を原点位置から第２位置まで押下する場合のストローク量より短い。このため、動画撮影中に静止画を撮影する際の操作をするための指の動きを少なくすることによって、手振れが発生する確率をさらに少なくすることができる。さらに、ユーザが静止画撮影スイッチ２１を原点位置から第１位置まで押下する場合に静止画撮影スイッチ２１に加えられる力は、静止画撮影スイッチ２１を第２位置まで押下する場合に比較して小さい。動画の撮影中に静止画を撮影する操作によって静止画撮影スイッチ２１に加えられる力を小さくして、手振れが発生する確率をさらに少なくすることができる。
【００４８】
また、上述したように、動画撮影部１４５は、静止画撮影部１４７が静止画を記録する間、音声を継続して記録する。静止画撮影スイッチ２１が第１位置になるときに発生する機械的な操作音であるクリック音は、静止画撮影スイッチ２１が第２位置になるときに発生するクリック音より小さく、直接または筐体９を伝わってマイクロホン１１に到達するクリック音は、静止画撮影スイッチ２１が第１位置になるときの方が、静止画撮影スイッチ２１が第２位置になるときよりも小さい。このように、静止画撮影スイッチ２１が第１位置まで押下される操作に応じて静止画を記録するようにしたので、ユーザによる操作により発生するクリック音を小さくして、動画撮影部１４５により記録されるクリック音を小さな音にすることができる。
【００４９】
図６は、撮影処理の流れの一例を示すフローチャートである。撮影処理は、ＣＰＵ１０１がＲＯＭ１０３、ＨＤＤ１２３またはＣＤ−ＲＯＭ１２９に記憶された撮影プログラムを実行することにより、ＣＰＵ１０１により実行される処理である。図６を参照して、ＣＰＵ１０１は、動画撮影スイッチ２３が押下されことを検出したか否かを判断する（ステップＳ０１）。動画撮影スイッチ２３が押下されたことを検出したならば、処理をステップＳ０２に進めるが、そうでなければ処理をステップＳ１１に進める。
【００５０】
ステップＳ０２においては、動画の撮影を開始し、処理をステップＳ０３に進める。ステップＳ０３においては、撮影条件の調整を開始し、処理をステップＳ０４に進める。なお、ステップＳ０３において開始された撮影条件の調整は、以後継続して行う。
【００５１】
ステップＳ０４においては、静止画撮影スイッチ２１が半押しされたか否かを判断する。静止画撮影スイッチ２１から第１の信号が入力されたならば、静止画撮影スイッチ２１が半押しされたことを検出する。静止画撮影スイッチ２１から第１の信号が入力されたならば、処理をステップＳ０５に進めるが、そうでなければ処理をステップＳ０８に進める。
【００５２】
ステップＳ０５においては、動画の撮影を一時停止する。動画の記録を一時停止するが、音声は継続して記録する。次のステップＳ０６においては、静止画を撮影する。そして、静止画の撮影が終了すると、次のステップＳ０７において、動画の撮影を再開し、処理をステップＳ０４に戻す。なお、ここでは、動画の撮影中に静止画撮影スイッチ２１が半押しされたことを検出すると、動画の記録を一時停止し、静止画を撮影した後、動画の撮影を再開するようにしたが、静止画の撮影時にイメージセンサ１０５が出力する画像信号をＭＰＥＧ−ＣＯＤＥＣ１２１およびＪＰＥＧ−ＣＯＤＥＣ１１９の両方に供給することによって、動画の記録を一時停止することなく静止画の撮影を行うようにしてもよい。
【００５３】
ステップＳ０８においては、動画撮影スイッチ２３の押下を検出したか否かを判断する。動画撮影スイッチ２３の押下を検出したならば、処理をステップＳ０９に進めるが、そうでなければ処理をステップＳ０４に戻す。ステップＳ０９においては、動画の撮影を停止し、処理をステップＳ０１に戻す。したがって、動画撮影スイッチ２３が押下されてから再び動画撮影スイッチ２３が押下されるまで、動画を撮影する。
【００５４】
処理がステップＳ１０に進む場合、動画像が撮影されていないときである。ステップＳ１０においては、静止画撮影スイッチ２１が半押しされたか否かを判断する。静止画撮影スイッチ２１から第１の信号が入力されたならば、静止画影スイッチ２１が半押しされたことを検出する。静止画撮影スイッチ２１から第１の信号が入力されたならば、処理をステップＳ１１に進めるが、そうでなければ処理をステップＳ１５に進める。
【００５５】
ステップＳ１１においては、撮影条件の調整を開始し、処理をステップＳ１２に進める。次のステップＳ１２においては、静止画撮影スイッチ２１が全押しされたか否かを判断する。静止画撮影スイッチ２１から第２の信号が入力されたならば静止画撮影スイッチ２１が全押しされたと判断する。静止画撮影スイッチ２１から第２の信号が入力されたならば、処理をステップＳ１３に進めるが、そうでなければ処理をステップＳ１４に進める。
【００５６】
ステップＳ１３においては、静止画を撮影する。次のステップＳ１４においては、静止画撮影スイッチ２１の半押しが解除されたか否かを判断する。静止画撮影スイッチ２１から第１の信号および第２の信号のいずれも入力されなければ、静止画撮影スイッチ２１の半押しが解除されたと判断する。静止画撮影スイッチ２１から第１の信号および第２の信号のいずれも入力されなければ、処理をステップＳ０１に戻すが、そうでなければ処理をステップＳ１２に戻す。
【００５７】
ステップＳ１５においては、電源スイッチ１９が押下されたか否かを判断する。電源スイッチ１９が押下されたならば、電源をＯＦＦとし終了するが、そうでなければ処理をステップＳ０１に戻す。
【００５８】
以上説明したように本実施の形態おけるデジタルビデオカメラ１０は、動画および音声を記録している最中に静止画撮影スイッチ２１が第１位置まで押下されること応じて、静止画を記録する。ユーザが静止画撮影スイッチ２１を原点位置から第１位置まで押下する場合、原点位置から第２位置まで押下する場合よりも操作が簡素になる。したがって、動画の撮影中に静止画を撮影するためのユーザによる操作を簡素化することによって、手振れが発生する原因が少なくなる。このため、静止画を撮影する操作によって、手振れが発生する確率を小さくすることができる。さらに、手振れの発生確率を減少することによって、撮影中の動画の画質が低下しないようにすることができる。
【００５９】
また、静止画撮影スイッチ２１を原点位置から第１位置まで押下する場合のストローク量は、静止画撮影スイッチ２１を原点位置から第２位置まで押下する場合のストローク量より短い。このため、動画撮影中に静止画を撮影する際の操作をするための指の動きを小さくすることによって、手振れが発生する確率をさらに少なくすることができる。さらに、ユーザが静止画撮影スイッチ２１を原点位置から第１位置まで押下する場合に静止画撮影スイッチ２１に加えられる力は、静止画撮影スイッチ２１を第２位置まで押下する場合に比較して小さい。動画の撮影中に静止画を撮影する操作によって静止画撮影スイッチ２１に加えられる力を小さくして、手振れが発生する確率をさらに少なくすることができる。
【００６０】
また、本実施の形態おけるデジタルビデオカメラ１０は、動画および音声を記録している最中に静止画撮影スイッチ２１が第１位置まで押下されること応じて、静止画が記録される。静止画撮影スイッチ２１が第１位置まで押下されるときに発生するクリック音は、第２位置まで押下されるときに発生するクリック音より小さく、発生したクリック音が直接または筐体９を伝わってマイクロホン１１に到達するクリック音は、静止画撮影スイッチ２１が第１位置まで押下される場合の方が、第２位置まで押下される場合より小さい。したがって、動画および音声の記録中にユーザが静止画撮影スイッチ２１を押下する操作により記録されるクリック音を小さくすることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
９  筐体、１０  デジタルビデオカメラ、１１  マイクロホン、１３  ストロボ、１５  レンズ、１９  電源スイッチ、２１  静止画撮影スイッチ、２３  動画撮影スイッチ、２５  ズームレバー、２７  再生スイッチ、２９  メニュースイッチ、３１  十字パドルキー、１０１  ＣＰＵ、１０３  ＲＯＭ、１０５  イメージセンサ、１０７，１０９  Ａ／Ｄ、１１１  メモリ制御部、１１３  ＳＤＲＡＭ、１１５  ＬＣＤドライバ、１１７  ＬＣＤ、１１９  ＪＰＥＧ−ＣＯＤＥＣ、１２１  ＭＰＥＧ−ＣＯＤＥＣ、１２３  ＨＤＤ、１２５  バス、１２７  外部記録装置、１２９  ＣＤ−ＲＯＭ、１３１  操作部、１４１  撮影制御部、１４３  撮影条件調整部、１４５  動画撮影部、１４７  静止画撮影部。
【図１】
2012010004.tif 000003
【図２】
2012010004.tif 000004
【図３】
2012010004.tif 000005
【図４】
2012010004.tif 000006
【図５】
2012010004.tif 000007
【図６】
2012010004.tif 000008